(57)【要約】【課題】異なる種類のシートの混在の許否を、ジョブ中断中の給紙部の操作の有無によって決定する。【解決手段】ジョブ中断中に、選択されている給紙段の開閉操作があると開閉検知フラグがオンとなる。ガイド画面で再開ボタン９０１が押下された場合、開閉検知フラグがオンである場合はメディア違い中断フラグがオンのままジョブが再開され、開閉検知フラグがオンでない場合はメディア違い中断フラグがオフされてからジョブが再開される。再開後のジョブ処理において、再度、用紙種類が変化した場合、メディア違い中断フラグがオンだとジョブは中断されるがオフだとジョブは中断されない。【選択図】図６
2018103574.tif 000002
【特許請求の範囲】
【請求項１】
シートを収容する給紙部と、
前記給紙部から給紙されたシートに画像を形成する画像形成手段と、
前記給紙部から給紙されるシートの種類が変化したか否かを判定する判定手段と、
ジョブの処理中に、前記給紙されるシートの種類が変化したと前記判定手段により判定されたことに応じて前記ジョブの中断を制御する制御手段と、
中断したジョブの再開指示を受け付ける受け付け手段と、
前記給紙部の開閉操作を検知する検知手段と、を有し、
前記制御手段は、前記受け付け手段により再開が指示されたジョブの再開後の処理においては、前記ジョブの中断中に前記検知手段により前記給紙部の開閉操作が検知されていた場合は前記給紙されるシートの種類が変化すると前記ジョブを中断し、前記ジョブの中断中に前記検知手段により前記給紙部の開閉操作が検知されていなかった場合は前記給紙されるシートの種類が変化しても前記ジョブを中断しないことを特徴とする画像形成装置。
【請求項２】
前記判定手段は、シートの種類を検知するセンサの出力に基づいて、前記給紙されるシートの種類が変化したか否かを判定することを特徴とする請求項１に記載の画像形成装置。
【請求項３】
前記センサは、前記給紙部から前記画像形成手段までの間に配置されることを特徴とする請求項２に記載の画像形成装置。
【請求項４】
前記センサの検知結果を記憶する記憶部を有し、
前記判定手段は、前記記憶部に最後に記憶された検知結果と前記センサの今回の検知結果との比較に基づいて、前記給紙されるシートの種類が変化したか否かを判定することを特徴とする請求項２または３に記載の画像形成装置。
【請求項５】
前記シートの種類には、少なくともシートの厚さが含まれることを特徴とする請求項１乃至４のいずれか１項に記載の画像形成装置。
【請求項６】
前記受け付け手段は、ユーザが前記給紙部の開閉操作をせずにジョブの再開を指示すると前記給紙されるシートの種類が変化しても再開後のジョブが中断されなくなる旨を、前記再開指示の受け付けに際し報知することを特徴とする請求項１乃至５のいずれか１項に記載の画像形成装置。
【請求項７】
前記制御手段は、前記受け付け手段により再開が指示されたジョブの再開時には、搬送途中で停止していたシートを前記画像形成手段により画像形成をすることなく強制排紙することを特徴とする請求項１乃至６のいずれか１項に記載の画像形成装置。
【請求項８】
シートを収容する給紙部から給紙されたシートに画像を形成する画像形成ステップと、
前記給紙部から給紙されるシートの種類が変化したか否かを判定する判定ステップと、
ジョブの処理中に、前記給紙されるシートの種類が変化したと前記判定ステップにより判定されたことに応じて前記ジョブの中断を制御する制御ステップと、
中断したジョブの再開指示を受け付ける受け付けステップと、を有する画像形成装置の制御方法であって、
前記制御ステップは、前記受け付けステップにより再開が指示されたジョブの再開後の処理においては、前記ジョブの中断中に前記給紙部の開閉操作がなされていた場合は前記給紙されるシートの種類が変化すると前記ジョブを中断し、前記ジョブの中断中に前記給紙部の開閉操作がなされていなかった場合は前記給紙されるシートの種類が変化しても前記ジョブを中断しないことを特徴とする画像形成装置の制御方法。
【発明の詳細な説明】
【技術分野】
【０００１】
本発明は、複数種類のシートに画像形成を行える画像形成装置及びその制御方法に関する。
【背景技術】
【０００２】
プリンタ等の画像形成装置において、給紙カセット内の用紙（シート）を使い切る前に用紙を継ぎ足して使用する場合には、種類の異なる用紙がカセット内に混在してしまうことがある。ジョブ処理の途中で用紙の継ぎ足しがなされ、その状態でジョブが再開されると、画像形成に使用する用紙種類がジョブ処理の途中で変化することがある。すると、１つのジョブに対応する成果物が複数種類の用紙からなる、いわゆるメディア混在成果物が生成される可能性がある。
【０００３】
そこで特許文献１では、搬送路上に配設したメディアセンサで、連続して給紙される複数の用紙の特性を検知し、既に出力された用紙の特性と新たに検知した用紙の特性とが異なっていた場合には、一旦、印刷ジョブを中断させる。そして、ユーザがメディア混在成果物の生成を望まない場合にはそのままジョブ終了させることができる。一方で、例えばユーザは、文書の内容を用紙にプリントして一時的に確認したい場合等には、メディア混在成果物でも構わないと考えることもある。そこで特許文献１では、ユーザから再開が指示された場合には、ユーザがメディア混在成果物の生成を許容するとして、それ以降、同一の用紙群においては印刷ジョブの中断を省略する。すなわちジョブは中断されない。
【先行技術文献】
【特許文献】
【０００４】
【特許文献１】特開２０１０−２６４６０８号公報
【発明の概要】
【発明が解決しようとする課題】
【０００５】
従って、メディア混在成果物の生成を許容しないユーザは、印刷ジョブが中断された場合に、給紙カセットから異なる種類の用紙を取り除くか、適切な用紙に入れ替えた後に、ジョブを再開させればよい。ところが特許文献１では、ジョブ中断後にユーザから再開が指示された場合には、それ以降、同一の給紙カセットから給紙される用紙の種類が変化したとしても、一律に印刷ジョブの中断は省略される。そのため、用紙の除去や適切な入れ替えを行っていなくても、再開後のジョブ処理が進行してしまう。すると、異なる種類の用紙が、再度、給紙された場合に、ユーザが所望しないのにメディア混在成果物が生成されてしまうおそれがあるという問題があった。
【０００６】
本発明は、異なる種類のシートの混在の許否を、ジョブ中断中の給紙部の操作の有無によって決定することを目的とする。
【課題を解決するための手段】
【０００７】
上記目的を達成するために本発明は、シートを収容する給紙部と、前記給紙部から給紙されたシートに画像を形成する画像形成手段と、前記給紙部から給紙されるシートの種類が変化したか否かを判定する判定手段と、ジョブの処理中に、前記給紙されるシートの種類が変化したと前記判定手段により判定されたことに応じて前記ジョブの中断を制御する制御手段と、中断したジョブの再開指示を受け付ける受け付け手段と、前記給紙部の開閉操作を検知する検知手段と、を有し、前記制御手段は、前記受け付け手段により再開が指示されたジョブの再開後の処理においては、前記ジョブの中断中に前記検知手段により前記給紙部の開閉操作が検知されていた場合は前記給紙されるシートの種類が変化すると前記ジョブを中断し、前記ジョブの中断中に前記検知手段により前記給紙部の開閉操作が検知されていなかった場合は前記給紙されるシートの種類が変化しても前記ジョブを中断しないことを特徴とする。
【発明の効果】
【０００８】
本発明によれば、異なる種類のシートの混在の許否を、ジョブ中断中の給紙部の操作の有無によって決定することができる。
【図面の簡単な説明】
【０００９】
【図１】画像形成装置の制御ブロック図である。
【図２】画像形成装置の断面図である。
【図３】薄紙通紙時のメディアセンサの模式的側面図である。
【図４】厚紙通紙時のメディアセンサの模式的側面図である。
【図５】薄紙、厚紙通紙時におけるメディアセンサの出力波形を示す図である。
【図６】ジョブ処理のフローチャートである。
【図７】ジョブ中断状態に表示されるガイド画面の一例を示す図である。
【発明を実施するための形態】
【００１０】
以下、図面を参照して本発明の実施の形態を説明する。
【００１１】
図１は、本発明の一実施の形態に係る画像形成装置の制御ブロック図である。この画像形成装置は、例えば、電子写真方式のプリンタ等として構成され、プリンタ部１０を有する。プリンタ部１０は、主に制御部２００、給紙部１１０、画像形成部２０６（画像形成手段）、操作部２０（受け付け手段）、メディアセンサ２０７等を有する。制御部２００は、ＣＰＵ２０１、ＲＯＭ２０２、ＲＡＭ２０３を有する。ＲＯＭ２０２には、制御プログラムが記憶され、すなわち画像形成の手順及び後述するフローチャートの手順が記憶されている。ＲＡＭ２０３は、ＣＰＵ２０１の制御データの一時的な記憶や、制御に伴う演算処理の作業領域として用いられる。ＣＰＵ２０１は、操作部２０からの例えばプリント動作開始指示の入力に応じて、画像形成部２０６を制御して画像形成動作を行える。
【００１２】
給紙部１１０は画像形成部２０６に用紙（シート）を供給する。給紙部１１０には、用紙を収容する用紙カセットである２つの給紙段１０１ａ、１０１ｂと、１つのマルチ手差し１０１ｃとが含まれる。また、給紙段１０１ａ、１０１ｂに対応して開閉センサ１０２（１０２ａ、１０２ｂ）が設けられる。ＣＰＵ２０１は、給紙部１１０内の給紙段１０１ａ、１０１ｂ、マルチ手差し１０１ｃを制御して、これらのいずれかから用紙を給紙するよう制御する。開閉センサ１０２ａ、１０２ｂはそれぞれ、給紙段１０１ａ、１０１ｂの開閉状態を検知する検知手段である。開閉センサ１０２ａ、１０２ｂにより、給紙段１０１ａ、１０１ｂが閉状態から開状態に変化したことが検知されると、給紙段１０１ａ、１０１ｂの開閉操作が有ったことが検知される。詳細は後述するが、メディアセンサ２０７は、搬送されてきた用紙の特性を検知し、その検知結果に基づいてＣＰＵ２０１が用紙の種類を判定する。
【００１３】
原稿読取り部１００は、原稿束をスキャンして画像データに変換して制御部２００へ送る。制御部２００は、受信した画像データに基づいて画像形成動作を行う。もしくは、制御部２００は、ネットワーク回線２０８を経由してパーソナルコンピュータ（ＰＣ）２０４から送信されてくる画像データを外部Ｉ／Ｆ２０５を介して受信し、受信した画像データに基づいて画像形成動作を行う。
【００１４】
図２は、画像形成装置の断面図である。操作部２０（図１）等からプリント動作開始の指示が入力されると、制御部２００は、給紙部１１０を制御して給紙動作を開始する。ここで給紙段１０１ｂから給紙される場合を例にとって説明する。給紙ピックアップローラ１５１は搬送モータ（図示せず）に接続し、制御部２００が搬送モータを駆動することで給紙ピックアップローラ１５１は回転する。給紙ピックアップローラ１５１の回転駆動により、給紙段１０１ｂ内の用紙が１枚ずつ給紙搬送される。このとき制御部２００は、用紙の給紙動作が正常に処理できたかどうかを、給紙ピックアップセンサ１５２を用いて監視する。
【００１５】
その後、用紙は搬送ローラ１５３、１５４、１５５によって搬送ローラ１６１に搬送される。用紙の搬送経路上における給紙部１１０とレジストレーションセンサ１６０との間にメディアセンサ２０７が配設されている。制御部２００は、メディアセンサ２０７の検知結果から判定した用紙種類を、その後の搬送制御や定着器１７０の温度制御へ反映させる。装置構成によっては、検知した用紙種類に準拠した搬送速度に変更して用紙搬送を継続することも考えられる。例えば、普通紙や薄紙の搬送速度に対して、厚紙時では１／２速といったように搬送速度を変化させる等である。本実施の形態では、搬送速度は一定速とし、定着器１７０の温度制御でメディア（用紙種類）の違いに対応する構成としている。
【００１６】
本画像形成装置は、イエロー（Ｙ）、マゼンダ（Ｍ）、シアン（Ｃ）、ブラック（Ｋ）の４色の画像を形成するための４つのカートリッジ１２０（１２０ａ、１２０ｂ、１２０ｃ、１２０ｄ）を有する。カートリッジ１２０は各々、ユーザが装着、取り外し可能な構成となっている。主としてカートリッジ１２０、中間転写ベルト１３０及び定着器１７０から画像形成部２０６（図１）が構成される。各カートリッジ１２０は、内蔵される現像器内のトナー色が異なる以外は同様の構成である。
【００１７】
制御部２００は、二次転写部１４０に用紙が到着するタイミングに間に合うように、各カートリッジ１２０の画像形成動作を開始する。レーザスキャナユニット１２２は、各カートリッジ１２０内の感光ドラム上に潜像を形成する。形成された潜像は、現像器内のトナーにより現像される。現像されたトナー画像は、一次転写部１２１において一次転写電圧を印可され、中間転写ベルト１３０へと転写される。各カートリッジ１２０で現像された単色のトナー画像は、中間転写ベルト１３０上で重ね合わされてカラー画像となり、中間転写ベルト１３０の回転（図２の時計回り）によって二次転写部１４０へと至る。
【００１８】
中間転写ベルト１３０はローラ部材１４２により回転駆動される。制御部２００は、搬送ローラ１５５により搬送された用紙の位置を、レジストレーションセンサ１６０を監視することで検知する。そして制御部２００は、レジストレーションセンサ１６０に用紙先端が到達したタイミングに基づいて、用紙と中間転写ベルト１３０上のトナー画像とが二次転写部１４０で一致するように用紙搬送を制御する。例えば、トナー画像に対して用紙が早く到達していると判断した場合には、ずれ量に相当する時間だけ搬送ローラ１６１で用紙を停止させた後に、搬送を再開するよう制御する。
【００１９】
以上のようにして二次転写部１４０に到達した用紙とトナー画像に対して、二次転写電圧が印可されることでトナー画像が用紙に転写される。用紙に転写されずに残留したトナーは、ベルトクリーニング部１４１で中間転写ベルト１３０上から除去される。一方、転写後の用紙は定着器１７０に搬送され、定着器１７０では用紙上のトナー画像がその用紙に加熱・加圧定着される。その後、用紙はさらに装置下流部へと搬送される。定着器１７０の下流には搬送センサ１７１が設けられる。
【００２０】
定着後の用紙の先端が搬送センサ１７１に到達すると、制御部２００は、予め操作部２０から指定された指示に従って用紙搬送路２３０あるいは用紙搬送路２３１のどちらに用紙を搬送するかを判断する。そして制御部２００は、搬送フラッパ１７２を切り替えることで用紙の搬送先を切り替える。具体的には制御部２００は、用紙が両面プリントの表面（１面目）の場合には用紙搬送路２３０に用紙を搬送するよう搬送フラッパ１７２を制御する。また制御部２００は、片面プリントあるいは両面プリントの裏面（２面目）の場合には、用紙搬送路２３１に用紙を搬送するよう搬送フラッパ１７２を制御する。
【００２１】
用紙搬送路２３１へ搬送された用紙は、搬送ローラ２３２によりさらに下流へと搬送される。ここでも上述の切り替え制御と同様に、予め操作部２０から指定されている指示に従い、制御部２００が搬送フラッパ１９０を切り替えることにより、用紙を用紙搬送路１８０側に搬送するか用紙搬送路１８１側に搬送するかを切り替え可能である。用紙は、排紙指定先が排紙トレイ１９９の場合には用紙搬送路１８０へと搬送され、排紙指定先が排紙トレイ１９６の場合あるいは強制排紙の場合には、用紙搬送路１８１へと搬送される。用紙搬送路１８１へと搬送された用紙は、搬送フラッパ１９１により排紙トレイ１９６あるいは排紙トレイ１９２へと搬送される。排紙センサ１９５は、排紙トレイ１９６への排紙の状況を監視する。なお、これらの基本的な画像形成動作は一例であり、本発明は上記構成に限定されるものではない。
【００２２】
次に、図３〜図５を用いて、メディアセンサ２０７の構成及び用紙の種類を検知する原理を説明する。なお、本実施の形態では、用紙の種類（乃至特性）には、少なくとも紙の厚み（例えば、薄紙か厚紙か）が含まれるとする。なお、用紙の種類として、厚み以外にも、平滑度、坪量、紙種（ボンド紙、普通紙、コート紙、ＯＨＰ紙）等の特性を検知するセンサを設け、それらの少なくとも１つの検知結果から用紙種類を判定してもよい。
【００２３】
メディアセンサ２０７としては、赤外透過光量検知センサ、正反射光量検知センサ、紙表面凹凸検知センサ、超音波式センサ、電気抵抗検知センサ、ＣＣＤ（Ｃｈａｒｇｅ  Ｃｏｕｐｌｅｄ  Ｄｅｖｉｃｅ）カメラ等を用いることが可能である。これらのうちの１つもしくは複数の組み合わせにより、メディアセンサ２０７が構成され、通過する用紙の種類が検知される。本実施の形態では、正反射光量検知型のセンサを例示するが、他の構成を採用してもよい。
【００２４】
図３（ａ）、（ｂ）、図４（ａ）、（ｂ）は、メディアセンサ２０７の模式的側面図である。特に、図３（ａ）、（ｂ）は、薄紙を通紙したときの状態を示し、図４（ａ）、（ｂ）は厚紙を通紙したときの状態を示している。
【００２５】
図３（ａ）等に示すように、メディアセンサ２０７の内部には、発光素子であるＬＥＤ５８１、受光素子であるフォトダイオード５８０が配置されている。ＬＥＤ５８１から照射され紙面で反射した光をフォトダイオード５８０で受光し、反射光量（受光量）に応じた信号が出力される。また搬送ローラ１５５により搬送されてきた用紙Ｓが突入するガイド部５８３は、バネ５８２によって押圧されている。バネ５８２による押圧力は、不図示の駆動部によって回転するカム５８４によって変化する。カム５８４の回転角度により、バネ５８２が縮んでいる状態では押圧力は強くなり、逆にバネ５８２が緩んでいる状態では押圧力は弱くなる。制御部２００は、用紙Ｓがメディアセンサ２０７を通過する間にカム５８４を回転駆動させ、バネ５８２による押圧力を変化させる。
【００２６】
薄紙の通紙状態におけるバネ５８２による押圧力は、図３（ａ）では弱くなっており、図３（ｂ）では図３（ａ）の状態に比し強くなっている。薄紙を通紙する際は、カム５８４の回転角度の状態、即ちバネ５８２の押圧力の状態に拘らず、薄紙がガイド部５８３を押し下げない。これは薄紙のコシが弱いためであり、通紙の状態としては安定した状態である。
【００２７】
一方、厚紙の通紙状態におけるバネ５８２による押圧力は、図４（ａ）では弱くなっており、図４（ｂ）では図４（ａ）の状態に比し強くなっている。押圧力が弱い図４（ａ）の状態では、コシの強い厚紙がガイド部５８３を押し下げた状態となり、通紙の状態としては不安定な状態となる。一方、押圧力が強い図４（ｂ）の状態では、バネ５８２による押圧力が厚紙のコシを上回り、ガイド部５８３によって用紙が押し付けられた状態となり、通紙状態としては安定した状態となる。
【００２８】
図５（ａ）、（ｂ）はそれぞれ、薄紙通紙時、厚紙通紙時におけるメディアセンサ２０７の出力波形を示す図である。図において、横軸に時間、縦軸に反射光量をとる。カム５８４の回転に伴いバネ５８２による押圧力が変化し、時刻Ｔより前が、押圧力の弱い状態、時刻Ｔより後が、押圧力の強い状態である。
【００２９】
薄紙通紙時（図５（ａ））には、押圧力に関わらず、用紙Ｓが安定してガイド部５８３に沿って搬送されるため、反射光量の平均値、及びバラつきの大きさは共にほとんど変化しない。一方、厚紙通紙時（図５（ｂ））には、押圧力が弱い状態（図４（ａ））では用紙Ｓがガイド部５８３を押し下げることから、用紙Ｓはガイド部５８３に沿って安定して搬送されず、反射光量のバラつきが大きくなる。しかし押圧力が強い状態（図４（ｂ））では、用紙Ｓはガイド部５８３によって押し付けられるため、用紙Ｓはガイド部５８３に沿って安定して搬送されることから、反射光量の平均値は大きくなり、バラつきは小さくなる。
【００３０】
このように、制御部２００は、カム５８４の回転（角度）の制御とメディアセンサ２０７からの出力に基づいて、用紙Ｓの種類（厚み）を検知することが可能である。すなわちＣＰＵ２０１は、押圧力の強い場合と弱い場合との間で、メディアセンサ２０７の出力のバラツキ及び平均値を比較することで用紙種類を判定（特定）することができる。ガイド部５８３への用紙Ｓの突入時の挙動は用紙Ｓの剛性によっても変わるため、厚みを検知することが実質的に材質を検知することになる場合もあるが、その場合でも材質が用紙種類に含まれると考えることができる。
【００３１】
図６は、ジョブ処理のフローチャートである。このフローチャートの処理は、ＲＯＭ２０２に格納されたプログラムをＣＰＵ２０１がＲＡＭ２０３に読み出して実行することにより実現される。この処理は、印刷ジョブの実行が指示されると開始される。この処理において、ＣＰＵ２０１は、本発明における判定手段、制御手段に該当する。
【００３２】
まず、ＣＰＵ２０１は、ステップＳ１０１で、メディア違い中断フラグをオン（ＯＮ）状態に初期化する。なお、詳細は後述するが、ジョブの中断中に給紙段１０１ａ、１０１ｂのうち選択されている給紙段の開閉操作が検知された後、ジョブの再開が指示されると、メディア違い中断フラグはオフ（ＯＦＦ）となる（ステップＳ１１８）。
【００３３】
次に、ステップＳ１０３では、ＣＰＵ２０１は、給紙段１０１ａ、１０１ｂ、マルチ手差し１０１ｃのうち現在選択されている給紙部からの給紙を開始する（ステップＳ１０２）。そしてＣＰＵ２０１は、メディアセンサ２０７の出力に基づき、搬送されてきた用紙Ｓの種類を検知するメディア検知を行い（ステップＳ１０３）、同一ジョブ処理中に用紙Ｓの種類が変化した否かを判定する（ステップＳ１０４）。ここでＣＰＵ２０１は、記憶部であるＲＡＭ２０３に記憶されている最新の（最後に記憶された）用紙種類と、今回検知された用紙種類とを比較し、両者が相違するとき、用紙Ｓの種類が変化したと判定する。
【００３４】
ステップＳ１０４の判別の結果、用紙Ｓの種類の変化がない場合は、ＣＰＵ２０１は、ステップＳ１０５に進んでプリント処理を実行し、今回判定した用紙Ｓの種類（メディア）をＲＡＭ２０３に記憶させる（ステップＳ１０６）。ＲＡＭ２０３は、最新の用紙種類の情報を保持する。次にステップＳ１０７で、ＣＰＵ２０１は、ジョブにおける今回の処理対象となっている部の全ページのプリントが終了したか否かを判別し、全ページのプリントが終了していない場合は、処理をステップＳ１０２へ戻す。一方、ジョブにおける今回の処理対象となっている部の全ページのプリントが終了すると、ＣＰＵ２０１は、ジョブにおける全部数のプリントが終了したか否かを判別し、全部数のプリントが終了していない場合は、処理をステップＳ１０２へ戻す。一方、ジョブにおける全部数のプリントが終了した場合は、図６の処理は終了する。
【００３５】
ステップＳ１０４の判別の結果、用紙Ｓの種類が変化した場合は、選択されている給紙段に用紙種類が混在していると判断できるので、ＣＰＵ２０１は、処理をステップＳ１０９へ進める。ステップＳ１０９では、ＣＰＵ２０１は、メディア違い中断フラグがオフであるか否かを判別する。図６の処理開始後の最初のステップＳ１０９の実行時にはメディア違い中断フラグがオンとなっている。また、ジョブの中断中に、現在選択されている給紙段の開閉操作がなされた後にジョブの再開が指示された場合もメディア違い中断フラグがオンとなっている。従ってこれらの場合、ＣＰＵ２０１は、ステップＳ１１０へ進め、ジョブを中断する。一方、ステップＳ１０９の判別の結果、メディア違い中断フラグがオフである場合は、ＣＰＵ２０１は、ジョブの中断中に、現在選択されている給紙段の開閉操作がなされることなく、ジョブの再開が指示されたと判断できる。すなわち、用紙種類Ｓの混在が許可されたものと判断できる。そこでＣＰＵ２０１は、ステップＳ１０５以降を実行する。これにより、用紙種類Ｓが変化してもジョブは中断されない。
【００３６】
次に、ステップＳ１１１では、ＣＰＵ２０１は開閉検知フラグをオフに初期化する。ここで、開閉検知フラグは、ジョブ中断中における、現在選択されている給紙段の開閉操作の有無を示す情報であり、「オン」、「オフ」は、開閉操作「有り」、「無し」を意味する。ステップＳ１１２では、ＣＰＵ２０１は、選択されている給紙段に対応する開閉センサ１０２の出力に基づいて、給紙段の開閉操作があったか否かを判別する。そして、給紙段の開閉操作がない場合は処理をステップＳ１１４に進める一方、給紙段の開閉操作があった場合は開閉検知フラグをオンにしてから（ステップＳ１１３）、処理をステップＳ１１４に進める。ステップＳ１１４ではＣＰＵ２０１は、ジョブ再開に関するユーザからの入力があったか否かを判別する。
【００３７】
図７は、ジョブ中断状態に操作部２０に表示されるガイド画面の一例を示す図である。ユーザは再開ボタン９０１を選択してジョブを再開するか、中止ボタン９０２を選択してジョブを中止・終了させるかを選択可能である。ユーザは、ジョブ中断状態において、選択されている給紙段を開けて種類の違う用紙を取り除いたり適切な種類の用紙に入れ替えたりしてから再開ボタン９０１を押下することでプリント再開を指示することができる。例えばユーザは、成果物において異なる種類の用紙の混在を許容しない場合は、給紙段の開閉操作及び用紙の除去や入れ替えを行った後、再開ボタン９０１を押下する。あるいはユーザは、そのまま（開閉操作をすることなく）再開ボタン９０１を押下することでプリント再開を指示することもできる。例えばユーザは、成果物において異なる種類の用紙の混在を許容する場合は、開閉操作を行うことなく再開ボタン９０１を押下する。さらには、ユーザは、ジョブを途中で終了させたい場合は中止ボタン９０２を押下する。
【００３８】
ガイド画面では、ユーザが開閉操作をせずにジョブの再開を指示すると、再開されたジョブにおいて給紙される用紙種類が変化してもジョブが中断されなくなる旨（メッセージ）が、ジョブ再開指示の受け付けに際し報知される。これにより、給紙段を開閉操作せずに再開を指示すると種類の混在が許可されることを事前に知らせることができる。
【００３９】
ステップＳ１１４の判別の結果、ＣＰＵ２０１は、ガイド画面においてユーザからの入力があるまで、ステップＳ１１２、Ｓ１１３の処理を繰り返し、ユーザからの入力があると、再開ボタン９０１が押下されたか否かを判別する（ステップＳ１１５）。そして再開ボタン９０１が押下されない場合は、中止ボタン９０２が押下された場合であるので、ＣＰＵ２０１は、ステップＳ１１６に進んで用紙の強制排紙を行って、図６の処理を終了させる。この強制排紙の際には、ＣＰＵ２０１は、搬送フラッパ１７２、１９０、１９１を制御して用紙Ｓを排紙トレイ１９２または排紙トレイ１９６へと搬送し、排紙する。なお、強制排紙トレイを持たない画像形成装置においては、任意の排紙トレイ、例えば複数の排紙トレイの中で成果物を排出しない残りの排紙トレイのいずれかに排紙するようにしても良い。
【００４０】
ステップＳ１１５の判別の結果、再開ボタン９０１が押下された場合は、ＣＰＵ２０１は、開閉検知フラグがオンであるか否かを判別する（ステップＳ１１７）。そして、開閉検知フラグがオンである場合は、ジョブの中断中に給紙段の開閉操作がなされているので、ＣＰＵ２０１はメディア違い中断フラグを変更することなく処理をステップＳ１１９に進める。一方、開閉検知フラグがオンでない場合は、ジョブの中断中に給紙段の開閉操作がなされていないので、ＣＰＵ２０１はメディア違い中断フラグをオフにしてから（ステップＳ１１８）、処理をステップＳ１１９に進める。
【００４１】
ステップＳ１１９では、ＣＰＵ２０１は、搬送途中で停止していた用紙を強制排紙する。ここで、ジョブ再開時でも画像形成をすることなく用紙Ｓを強制排紙するのは、ジョブ中断のために用紙搬送を停止させたことにより、二次転写部１４０での画像と用紙Ｓの位置合わせができなくなっているためである。これにより、画像形成不良となる用紙を発生させないようにすることができる。その後、処理はステップＳ１０２に戻り、ジョブが再開される。再開後のジョブ処理においては、開閉検知フラグがオンである場合は、再度、用紙種類の変化が検知された場合であってもジョブは中断されずに継続することになる。一方、開閉検知フラグがオンでない場合は、再度、用紙種類の変化が検知されるとジョブは中断されることになる。
【００４２】
本実施の形態によれば、ＣＰＵ２０１は、再開が指示されたジョブの再開後の処理においては、再開前のジョブの中断中に給紙段の開閉操作が検知されていた場合は、給紙される用紙種類が変化すると再開後のジョブを中断する。一方ＣＰＵ２０１は、再開前のジョブの中断中に給紙段の開閉操作が検知されていなかった場合は、給紙される用紙種類が変化しても再開後のジョブを中断しない。これにより、異なる種類の用紙（シート）の混在の許否を、ジョブ中断中の給紙段の操作の有無によって決定することができる。その結果、ユーザは、異種類の用紙の混在を許容する場合は利便性が高まり、異種類の用紙の混在を許容しない場合は混在を回避できる。
【００４３】
また、メディアセンサ２０７は、給紙部１１０から画像形成部２０６までの間、特に搬送ローラ１６１の上流に配置されるので、異種類用紙の混在が許可されない場合は、画像形成前の段階で混在を回避できる。なお、この効果を求めない場合は、用紙種類を検知するセンサの配置箇所は問わない。
【００４４】
なお、給紙段として２つの給紙段１０１ａ、１０１ｂを例示したが、少なくとも１つの給紙段を備える構成に本発明を適用できる。また給紙段は３つ以上であってもよい。
【００４５】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００４６】
２０  操作部
１０１ａ、１０１ｂ  給紙段
１０２ａ、１０２ｂ  開閉センサ
２０１  ＣＰＵ
２０６  画像形成部
【図１】
2018103574.tif 000003
【図２】
2018103574.tif 000004
【図３】
2018103574.tif 000005
【図４】
2018103574.tif 000006
【図５】
2018103574.tif 000007
【図６】
2018103574.tif 000008
【図７】
2018103574.tif 000009